(57)【要約】【課題】地盤改良工法によって地盤の液状化を防止する平面視が格子壁状の地盤改良体を造成すると共に、同地盤改良体の要所要所に鉛直支持力を高めて沈下を抑制するように延長した地盤改良延伸体を造成した地盤改良工法による構造物の基礎構造及びその施工方法を提供する。【解決手段】液状化地盤Ａを連続する壁状に地盤改良を行い、地盤Ａの液状化を防止する平面視が格子壁状の地盤改良体２が造成されていると共に、格子壁状地盤改良体２の要所に当該地盤改良体２の沈下を抑制できる程度に深く延長した地盤改良延伸体３…が造成されている。【選択図】図１
2007285047.tif 000002
【特許請求の範囲】
【請求項１】
液状化地盤における構造物の基礎構造であって、
液状化地盤を連続する壁状に地盤改良を行い、地盤の液状化を防止する平面視が格子壁状の地盤改良体が造成されていると共に、前記格子壁状地盤改良体の要所に当該地盤改良体の沈下を抑制できる程度に深く延長した地盤改良延伸体が造成されていることを特徴とする、地盤改良工法による構造物の基礎構造。
【請求項２】
地盤改良延伸体は、複数の地盤改良延伸体を壁状に連続させて造成されていることを特徴とする、請求項１に記載した地盤改良工法による構造物の基礎構造。
【請求項３】
地盤改良延伸体は、その上方部分の実質外径が下方部分の軸径よりも大きく形成されていることを特徴とする、請求項１に記載した地盤改良工法による構造物の基礎構造。
【請求項４】
液状化地盤における構造物基礎の施工方法であって、
液状化地盤を連続する壁状に地盤改良を行い、地盤の液状化を防止する平面視が格子壁状の地盤改良体を造成すると共に、前記格子壁状地盤改良体の要所に当該地盤改良体の沈下を抑制できる程度に深く延長した地盤改良延伸体を造成することを特徴とする、地盤改良工法による構造物基礎の施工方法。
【発明の詳細な説明】
【技術分野】
【０００１】
この発明は、液状化地盤上に構築する構造物の基礎構造（特には直接基礎）及びその施工方法の技術分野に属し、更に云えば、地盤改良工法によって地盤の液状化を防止する平面視が格子壁状の地盤改良体を造成すると共に、同地盤改良体の要所に鉛直支持力を高めて沈下を抑制するように延長した地盤改良延伸体を造成した構造物の基礎構造及びその施工方法の技術分野に属する。
【背景技術】
【０００２】
従来、液状化地盤上に構築する構造物の基礎構造及びその施工方法として、例えば下記特許文献１及び２には、地盤改良体を液状化層から非液状化層に到達する深さまで造成して地盤の液状化を防止すると共に、この地盤改良体と併用する杭を前記地盤改良体の深さよりも深く造成して構造物重量に対する鉛直支持力を高めた技術が開示されている。
【０００３】
また、下記特許文献３には、支持層が比較的深い地盤に好適に実施される地盤改良工法による構造物の基礎構造及びその施工方法であって、構造物直下の地盤を改良した地盤改良体を、構造物の鉛直荷重及び水平力を負担し支持する強度及び規模で造成すると共に、この地盤改良体の不同沈下を防ぐ杭を補完的に併用した技術が開示されている。
【０００４】
【特許文献１】特開２０００−１１０１７７号公報
【特許文献２】特許第３１５６０６７号公報
【特許文献３】特開平１１−２５６５６３号公報
【発明の開示】
【発明が解決しようとする課題】
【０００５】
上記特許文献１〜３に開示された地盤改良工法による構造物基礎の施工方法は、地盤改良体と杭とを併用して、地盤沈下や地震等に対する安全性を高めた技術である。しかし、地盤改良体と杭とはそれぞれ別々に造成するので、その施工に手間が掛かり、作業効率が悪く、工費が嵩む問題がある。
【０００６】
本発明の目的は、液状化地盤に格子壁状の地盤改良体を造成して地盤の液状化を防止すると共に、この格子壁状地盤改良体の要所に当該地盤改良体の沈下を抑制できる程度に深く延長した地盤改良延伸体を造成して、液状化防止と沈下防止（鉛直支持力の向上）に優れた構造物の基礎構造及びその施工方法を提供することである。
【課題を解決するための手段】
【０００７】
上記の課題を解決するための手段として、請求項１に記載した発明に係る地盤改良工法による構造物の基礎構造は、
液状化地盤における構造物の基礎構造であって、
液状化地盤Ａを連続する壁状に地盤改良を行い、地盤Ａの液状化を防止する平面視が格子壁状の地盤改良体２が造成されていると共に、前記格子壁状地盤改良体２の要所に当該地盤改良体２の沈下を抑制できる程度に深く延長した地盤改良延伸体３…が造成されていることを特徴とする。
【０００８】
請求項２に記載した発明は、請求項１に記載した地盤改良工法による構造物の基礎構造において、
地盤改良延伸体３は、複数の地盤改良延伸体３を壁状に連続させて造成されていることを特徴とする。
【０００９】
請求項３に記載した発明は、請求項１に記載した地盤改良工法による構造物の基礎構造において、
地盤改良延伸体３は、その上方部分の実質外径が下方部分の軸径よりも大きく形成されていることを特徴とする。
【００１０】
請求項４に記載した発明に係る地盤改良工法による構造物基礎の施工方法は、
液状化地盤における構造物基礎の施工方法であって、
液状化地盤Ａを連続する壁状に地盤改良を行い、地盤の液状化を防止する平面視が格子壁状の地盤改良体２を造成すると共に、前記格子壁状地盤改良体２の要所に当該地盤改良体２の沈下を抑制できる程度に深く延長した地盤改良延伸体３…を造成することを特徴とする。
【発明の効果】
【００１１】
本発明に係る地盤改良工法による構造物の基礎構造及びその施工方法は、液状化地盤Ａを連続する壁状に地盤改良を行い、地盤Ａの液状化を防止する平面視が格子壁状の地盤改良体２を造成すると共に、前記格子壁状地盤改良体２の要所に当該地盤改良体２の沈下を抑制できる程度に深く延長した地盤改良延伸体３…を造成するので、地盤改良延伸体３…は、格子壁状地盤改良体２を造成する施工の一環として共通する工程で造成することができる。よって、効率性、経済性に優れ、工費の大幅な削減に寄与することができる。そして、格子状地盤改良体２が囲んだ地盤Ａのせん断変形を抑止し、過剰間隙水圧の発生（液状化）を防止して構造物の大変形を防ぐことができる効果はもとより、構造物４の重量は一部を地盤改良延伸体３…の周辺摩擦及び先端支持力に分担させることができ、格子壁状地盤改良体２の沈下を確実に抑制することができる。
【発明を実施するための最良の形態】
【００１２】
液状化地盤Ａを連続する壁状に地盤改良を行い、地盤を液状化を防止する平面視が格子壁状の地盤改良体２を造成すると共に、格子壁状地盤改良体２の要所に当該地盤改良体２の沈下を抑制できる程度に深く延長した地盤改良延伸体３…を造成する。
【実施例１】
【００１３】
以下に、本発明を図１〜図５に示した実施例に基づいて説明する。
図１〜図３は、液状化地盤Ａに構築する構造物４の基礎構造１の実施例を示している。この基礎構造１は、液状化地盤Ａを連続する壁状に地盤改良を行い、地盤Ａの液状化を防止するように平面視（図２を参照）が格子壁状の地盤改良体２として造成されている。更に、前記格子壁状の地盤改良体２の要所要所（図３を参照）、つまり鉛直支持力の増強（沈下防止）の目的に適切な位置に当該地盤改良体２の沈下を抑制できる程度に深く延長した杭状の地盤改良延伸体３…が造成されている。
【００１４】
上記基礎構造１の施工方法としては、従来公知の深層混合処理工法やソイルミキシングウォール工法等を実施することができる。具体的には、地盤改良機で液状化地盤Ａを非液状化層Ｂに到達する深度（例えば１０ｍ〜２０ｍ程度）まで改良施工し、原位置の掘削土にセメントミルク等の安定材を注入し混合・攪拌して、一部分がラップした柱列状の地盤改良体を撹拌翼軸の本数ずつ造成して、一連に連続する格子壁状の地盤改良体２を造成する。そして、前記格子壁状地盤改良体２の要所要所には、前記地盤改良体２の施工の一環として、共通する工程で、当該地盤改良体の沈下を抑制できる程度に深く（例えば１０ｍ〜２０ｍ程度。因みに、図１では支持層Ｃに到達する深さまで造成した実施例を示す。）延長した杭状の地盤改良延伸体３…を造成する。前記格子壁状の地盤改良体２は、従来公知技術のブロック状地盤改良体を造成することに比べ、施工の手間が大幅に省ける分、施工性に優れ、工期を短縮でき工費を大幅に削減できる。
【００１５】
前記格子壁状の地盤改良体２の要所とは、構造物４の重量が最も大きく作用する柱の位置と一致させることが望ましい。また、前記格子壁状の地盤改良体２の沈下を抑制できる程度の深さとは、図示した実施例のように、地盤改良延伸体３が支持層Ｃに到達する深さまで造成した支持杭の一種として実施しても良い。或いは支持層Ｃの位置が深い場合には、非液状化層Ｂの範囲内に造成した摩擦杭として実施しても良い。なお、地盤改良延伸体３の本数は、図示した実施例に限定されない。構造物４の重量やその分布状態、又は格子壁状地盤改良体２の大きさに応じて適宜に設計して実施する。
【００１６】
斯くして、本発明の基礎構造１によれば、格子壁状地盤改良体２の要所要所に当該地盤改良体２の沈下を抑制できる程度に深く延長した地盤改良延伸体３…を造成するので、格子状地盤改良体２で囲んだ地盤Ａのせん断変形を抑止し、過剰間隙水圧の発生（液状化）を防止して構造物の大変形を防ぐことができる上に、構造物４の重量の一部を地盤改良延伸体３…の周辺摩擦及び先端支持力に分担させることができ、格子壁状地盤改良体２の沈下を確実に抑制することができる。
【００１７】
また、前記地盤改良延伸体３…は、格子壁状地盤改良体２の造成の一環として、共通する工程で造成できるので、例えば、地盤改良体と杭とをそれぞれ別々に造成することと比すると、１／３程度の工期、及び１／２程度の工費で施工することができ、効率性、経済性に優れ、工費の大幅な削減に寄与することができる。
【実施例２】
【００１８】
図４に示した実施例２の基礎構造１は、液状化地盤Ａを連続する壁状に地盤改良を行い、地盤Ａの液状化を防止する平面視が格子壁状の地盤改良体２が造成すると共に、格子壁状の地盤改良体２の要所要所に地盤改良延伸体３が、複数の地盤改良柱を壁状に連続させて造成され、前記格子壁状地盤改良体２の沈下抑制と、地震等の水平力に対する抵抗力を一層高めていることを特徴としている。
【００１９】
実施例２の基礎構造１の施工方法は、上記実施例１で説明した施工方法（段落番号［００１４］に記載）と同様の構成で実施できる。即ち、実施例２の基礎構造１も地盤改良延伸体３…は地盤改良体２の造成と共通する工程で造成するので、効率性、経済性に優れ、工費の大幅な削減に寄与することができる。なお、図示した実施例２は、３本の地盤改良延伸体３で構成しているが、この限りではない。構造物の重量や地盤改良体の大きさに応じて適宜にその数を設計して実施する（以上、請求項２記載の発明）。
【実施例３】
【００２０】
図５に示す実施例３の基礎構造１は、液状化地盤Ａを連続する壁状に地盤改良を行い、地盤Ａの液状化を防止する平面視が格子壁状の地盤改良体２が造成されていると共に、格子壁状の地盤改良体２の要所に上方部分の実質外径が大きく、下方部分の軸径が小さく形成された地盤改良延伸体３…が造成されている。この地盤改良延伸体３が前記格子壁状地盤改良体２の沈下を抑制し、地震等の水平力に対する抵抗力を高めることは、上記の各実施例と同じである。
【００２１】
実施例３の基礎構造１の施工方法も、上記実施例１で説明した施工方法（段落番号［００１４］に記載）と同様の構成で実施できる。よって、効率性、経済性に優れ、工費の大幅な削減に寄与することができる（以上、請求項３記載の発明）。
【００２２】
以上に本発明を図面の実施例に基づいて説明したが、本発明は、図示例の実施形態の限りではない。本発明の技術的思想を逸脱しない範囲において、当業者が通常に行う設計変更、応用のバリエーションの範囲を含むことを念のために付言する。 
【図面の簡単な説明】
【００２３】
【図１】本発明に係る構造物の基礎構造を示す立面図である。
【図２】図１のI−I線矢視を示す断面図である。
【図３】図１のII−II線矢視を示す断面図である。
【図４】請求項２に記載した構造物の基礎構造を示す立面図である。
【図５】請求項３に記載した構造物の基礎構造を示す立面図である。
【符号の説明】
【００２４】
１          構造物基礎構造
２          格子壁状地盤改良体
３          地盤改良延伸体
４          構造物
Ａ          液状化地盤（液状化層）
Ｂ          非液状化層
【図１】
2007285047.tif 000003
【図２】
2007285047.tif 000004
【図３】
2007285047.tif 000005
【図４】
2007285047.tif 000006
【図５】
2007285047.tif 000007